(57)【要約】【課題】表示内容の消去のための操作を格別に行うことなく、以前より表示されている表示内容を消去して、タッチペンの軌跡等を表示部の画面に表示することが可能な電子白板装置を提供する。【解決手段】第１描き込み消去動作モードでは、画面ＳＣにタッチペン３のペン先の移動軌跡を表示して、画面ＳＣにおけるタッチペン３のペン先を中心とする一定の消去範囲の以前より表示されている表示内容を消去する。更に、第２描き込み消去動作モードでは、画面ＳＣにタッチペン３のペン先の移動軌跡を表示して、ペン先の移動軌跡を包含する矩形状の消去範囲を求め、矩形状の消去範囲の以前より表示されている表示内容を消去する。【選択図】図１
2012248167.tif 000002
【特許請求の範囲】
【請求項１】
表示部と、前記表示部の画面において指示された座標位置を検出する２次元入力部とを備え、前記２次元入力部によって検出された前記表示部の画面の座標位置に対する描き込み処理を行う電子白板装置において、
前記２次元入力部によって前記表示部の画面の座標位置が検出されると、前記座標位置周囲の所定の消去範囲を求め、前記消去範囲の以前より表示されている表示内容を消去して、前記座標位置に対する描き込み処理を行う制御部を備えたことを特徴とする電子白板装置。
【請求項２】
請求項１に記載の電子白板装置であって、
前記消去範囲のサイズを設定する消去範囲サイズ設定部を備えたことを特徴とする電子白板装置。
【請求項３】
請求項１又は２に記載の電子白板装置であって、
前記制御部は、前記消去範囲の以前より表示されている表示内容を消去すると同時に、前記座標位置に対する描き込み処理を行うことを特徴とする電子白板装置。
【請求項４】
請求項１又は２に記載の電子白板装置であって、
前記２次元入力部は、前記表示部の画面の座標位置の検出を継続して行い、
前記制御部は、前記継続して検出された座標位置の軌跡に沿って消去範囲を求め、前記継続して検出された座標位置に対する描き込み処理による表示内容を残して、前記消去範囲の以前より表示されている表示内容を消去することを特徴とする電子白板装置。
【請求項５】
請求項１又は２に記載の電子白板装置であって、
前記２次元入力部は、前記表示部の画面の座標位置の検出を継続して行い、
前記制御部は、前記継続して検出された座標位置の軌跡を包含する消去範囲を求め、前記継続して検出された座標位置に対する描き込み処理による表示内容を残して、前記消去範囲の以前より表示されている表示内容を消去することを特徴とする電子白板装置。
【発明の詳細な説明】
【技術分野】
【０００１】
本発明は、表示部の画面におけるタッチペンで指示された座標位置を検出し、この検出された表示部の画面の座標位置にタッチペンの軌跡等を表示する電子白板装置に関する。
【背景技術】
【０００２】
この種の電子白板装置では、表示部と、表示部の画面におけるタッチペンで指示された座標位置を検出する２次元入力部とを備え、タッチペンが表示部の画面に接触した状態で移動されると、２次元入力部により表示部の画面上のタッチペンの軌跡が検出され、このタッチペンの軌跡が表示部の画面に表示される。このようなタッチペンの軌跡を表示する機能を、ペン機能などと称している。
【０００３】
また、消しゴム機能などと称される機能を設けており、この消しゴム機能により表示部の画面の表示内容を消去することができる。
【０００４】
例えば、特許文献１では、消しゴムツールにより表示部の画面の表示内容を消去することができるようにしており、また消しゴムツールを選択してドラッグ動作を行い、このドラッグ長さが一定長さを超えると、このドラッグ操作により指定された範囲の表示内容を一括消去して、消去の操作を簡略化している。
【０００５】
また、特許文献２では、表示部の画面上で一時消去アイコンを選択指示すると、手書きペンパッドを消去し、一定時間後に手書きペンパッドを再表示している。
【先行技術文献】
【特許文献】
【０００６】
【特許文献１】特開２００５−９２２５６号公報
【特許文献２】特開平１１−３５３０７１号公報
【発明の概要】
【発明が解決しようとする課題】
【０００７】
しかしながら、従来の電子白板装置では、タッチペンにより画面に描き込みを行うときと、画面の表示内容を消去するときとでは、ペン機能と消しゴム機能等の切り替え操作を必要とし、この切り替え操作が煩わしかった。
【０００８】
特許文献１では、ドラッグ操作により指定された範囲の表示内容を一括消去することができるが、そのようなペン機能と消しゴム機能の切り替え操作を必要とすることに変わりはない。また、特許文献２では、一時消去アイコンの指示だけで手書きペンパッドを消去することができるが、消去の対象が手書きペンパッドに特定されている。
【０００９】
そこで、本発明は、上記従来の問題点に鑑みなされたものであり、表示内容の消去のための操作を格別に行うことなく、以前より表示されている表示内容を消去して、タッチペンの軌跡等を表示部の画面に表示することが可能な電子白板装置を提供することを目的とする。
【課題を解決するための手段】
【００１０】
上記課題を解決するために、本発明の電子白板装置は、表示部と、前記表示部の画面において指示された座標位置を検出する２次元入力部とを備え、前記２次元入力部によって検出された前記表示部の画面の座標位置に対する描き込み処理を行う電子白板装置において、
前記２次元入力部によって前記表示部の画面の座標位置が検出されると、前記座標位置周囲の所定の消去範囲を求め、前記消去範囲の以前より表示されている表示内容を消去して、前記座標位置に対する描き込み処理を行う制御部を備えている。
【００１１】
このような本発明では、２次元入力部によって表示部の画面の座標位置が検出されると、座標位置周囲の所定の消去範囲の以前より表示されている表示内容が消去されて、座標位置に対する描き込み処理が行われる。このため、表示部の画面の座標位置を指示するだけで、座標位置周囲の消去範囲の以前より表示されている表示内容を消去しかつ座標位置に対する描き込み処理を行うことができ、表示内容の消去のための操作を行う必要がなく、装置の操作が簡略化される。
【００１２】
また、本発明の電子白板装置においては、前記消去範囲のサイズを設定する消去範囲サイズ設定部を備えている。
【００１３】
これにより、消去範囲のサイズを調節することができる。
【００１４】
更に、本発明の電子白板装置においては、前記制御部は、前記消去範囲の以前より表示されている表示内容を消去すると同時に、前記座標位置に対する描き込み処理を行っている。
【００１５】
この場合は、座標位置周囲の消去範囲の以前より表示されている表示内容の消去と、座標位置に対する描き込み処理とが並行して進められる。
【００１６】
また、本発明の電子白板装置においては、前記２次元入力部は、前記表示部の画面の座標位置の検出を継続して行い、前記制御部は、前記継続して検出された座標位置の軌跡に沿って消去範囲を求め、前記継続して検出された座標位置に対する描き込み処理による表示内容を残して、前記消去範囲の以前より表示されている表示内容を消去している。
【００１７】
この場合は、座標位置の軌跡に沿った帯状の消去範囲の以前より表示されている表示内容が消去される。
【００１８】
更に、本発明の電子白板装置においては、前記２次元入力部は、前記表示部の画面の座標位置の検出を継続して行い、前記制御部は、前記継続して検出された座標位置の軌跡を包含する消去範囲を求め、前記継続して検出された座標位置に対する描き込み処理による表示内容を残して、前記消去範囲の以前より表示されている表示内容を消去している。
【００１９】
この場合は、座標位置の軌跡を包含する消去範囲の以前より表示されている表示内容が消去される。
【発明の効果】
【００２０】
このような本発明では、２次元入力部によって表示部の画面の座標位置が検出されると、座標位置周囲の所定の消去範囲の以前より表示されている表示内容が消去されて、座標位置に対する描き込み処理が行われる。このため、表示部の画面の座標位置を指示するだけで、座標位置周囲の消去範囲の以前より表示されている表示内容を消去しかつ座標位置に対する描き込み処理を行うことができ、表示内容の消去のための操作を行う必要がなく、装置の操作が簡略化される。
【図面の簡単な説明】
【００２１】
【図１】本発明の電子白板装置の一実施形態を概略的に示す平面図である。
【図２】図１の電子白板装置の構成を示すブロック図である。
【図３】図２のタッチペンの構成を示すブロック図である。
【図４】図２の２次元入力部の構成を示すブロック図である。
【図５】（ａ）は通常描き込み動作モードにより画面に描き込まれた移動軌跡を例示する図であり、（ｂ）は第１描き込み消去動作モードにより画面に描き込まれた移動軌跡と移動軌跡に沿った帯状の消去範囲を例示する図であり、（ｃ）は第２描き込み消去動作モードにより画面に描き込まれた移動軌跡と移動軌跡を含む矩形状の消去範囲を例示する図である。
【図６】（ａ）、（ｂ）は、描き込み動作モードの種類に応じたそれぞれの値が書き込まれる各テーブルを例示する図である。
【図７】（ａ）は消去範囲の半径が書き込まれるテーブルを例示する図であり、また（ｂ）は消去範囲のＸ軸方向の最小値と最大値、及び消去範囲のＹ軸方向の最小値と最大値が書き込まれるテーブルを例示する図である。
【図８】通常描き込み動作モード、第１及び第２描き込み消去動作モードのいずれかを選択して実施するための手順を示すフローチャートである。
【図９】図８のステップＳ１０６の第１描き込み消去動作モードの処理手順を詳しく示すフローチャートである。
【図１０】図９のステップＳ２０３の処理手順、つまりペン先を中心とする半径の消去範囲を求めて、この消去範囲の各画素に対応するメモリ領域の各画素の値を初期化する処理手順を詳しく示すフローチャートである。
【図１１】図８のステップＳ１０７の第２描き込み消去動作モードの処理手順を詳しく示すフローチャートである。
【図１２】図１１のステップＳ４１７の処理手順、つまりペン先の移動軌跡を含む矩形状の消去範囲を求め、この矩形状の消去範囲の各画素に対応するメモリ領域の各画素の値を初期化する処理手順を詳しく示すフローチャートである。
【発明を実施するための形態】
【００２２】
以下、本発明の実施形態を添付図面を参照して詳細に説明する。
【００２３】
図１は、本発明の電子白板装置の一実施形態を概略的に示す平面図である。本実施形態の電子白板装置１は、ディスプレイ装置２と、タッチペン３と、ディスプレイ装置２の画面ＳＣに設けられ、この画面ＳＣにおけるタッチペン３のペン先で指示された座標位置を検出する２次元入力部４と、２次元入力部４によって検出された画面ＳＣの座標位置を入力し、ディスプレイ装置２を駆動制御して、画面ＳＣの座標位置に対する描き込み処理等を行うパーソナルコンピュータ（以下ＰＣと称す）５とを備えている。
【００２４】
図２は、電子白板装置１の構成を示すブロック図である。図２において、ディスプレイ装置２は、例えば液晶ディスプレイ装置であり、液晶パネルからなる表示部２１と、各種のデータを記憶するメモリ２２と、表示部２１の画面ＳＣに表示される画像（ラスタイメージ）を示す画像データを記憶する画像メモリ２３と、ＰＣ５からの画像データ等を受信入力する受信入力部２４と、受信入力部２４に入力された画像データを画像メモリ２３に記憶したり、表示部２１を駆動制御して、画像メモリ２３内の画像データによって示される画像を表示部２１の画面ＳＣに表示したりする制御部２５と、ディスプレイ装置２の動作電力を供給する電源部２６とを備えている。
【００２５】
２次元入力部４は、ディスプレイ装置２に一体的に設けられたものであり、表示部１１の画面ＳＣにおいてタッチペン３のペン先で指示された座標位置を検出し、この座標位置を示す座標データをＰＣ５に出力する。
【００２６】
ＰＣ５は、２次元入力部４からの座標データを受信入力する受信入力部５１と、各種のプログラム等を記憶するＨＤＤ等の記憶デバイス５２と、ＲＡＭ５３と、画像（ラスタイメージ）を示す画像データを記憶する画像メモリ５４と、画像メモリ５４内の画像データ等を送信出力する送信出力部５５と、各種のプログラムを実行するＣＰＵ５６と、キーボード等からなる操作部５９と、ＰＣ５の動作電力を供給する電源５７とを備えている。
【００２７】
図３は、タッチペン３の構成を示すブロック図である。このタッチペン３は、ペン先３１が表示部２１の画面ＳＣに接触しているか否かを検出する接触検出スイッチ３２と、タッチペン３による描き込み動作モードを切り替えるために操作される操作スイッチ３３とを有している。送信出力部３４は、接触検出スイッチ３２による検出結果、つまりペン先３１が表示部２１の画面ＳＣに接触しているか否かを示す接触データ、及び操作スイッチ３３の操作により切り替え設定された描き込み動作モードを示す動作モードデータを２次元入力部４に送信出力する。電源スイッチ３５は、電源部３６からタッチペン３への動作電力の供給をオンオフするために操作される。
【００２８】
図４は、２次元入力部４の構成を示すブロック図である。この２次元入力部４は、赤外線を出射する発光素子（発光ダイオード）と赤外線を受光して光電変換する受光素子（フォトダイオード）とを用いた赤外線方式のものであり、複数の発光素子を横方向（Ｘ軸方向）１列に配列した横方向赤外線発光素子アレイ４１と、複数の受光素子を横方向（Ｘ軸方向）１列に配列した横方向赤外線受光素子アレイ４２と、複数の発光素子を縦方向（Ｙ軸方向）１列に配列した縦方向赤外線発光素子アレイ４３と、複数の受光素子を縦方向（Ｙ軸方向）１列に配列した縦方向赤外線受光素子アレイ４４とを有している。
【００２９】
横方向赤外線発光素子アレイ４１と横方向赤外線受光素子アレイ４２とは、表示部２１の画面ＳＣの上下対向２辺に配置されており、横方向赤外線発光素子アレイ４１の各発光素子の発光面と横方向赤外線受光素子アレイ４２の各受光素子の受光面とが画面ＳＣを介して互いに向き合っている。
【００３０】
また、縦方向赤外線発光素子アレイ４３と縦方向赤外線受光素子アレイ４４とは、表示部２１の画面ＳＣの左右対向２辺に配置されており、縦方向赤外線発光素子アレイ４３の各発光素子の発光面と縦方向赤外線受光素子アレイ４４の各受光素子の受光面とが画面ＳＣを介して互いに向き合っている。
【００３１】
発光制御回路４５は、横方向赤外線発光素子アレイ４１の各発光素子を順次点灯させると共に、縦方向赤外線発光素子アレイ４３の各発光素子を順次点灯させる。
【００３２】
この横方向赤外線発光素子アレイ４１の各発光素子の順次点灯に伴い、横方向赤外線受光素子アレイ４２の各受光素子により赤外線が受光され、同様に縦方向赤外線発光素子アレイ４３の各発光素子の順次点灯に伴い、縦方向赤外線受光素子アレイ４４の各受光素子により赤外線が受光され、横方向赤外線受光素子アレイ４２の各受光素子の受光出力及び縦方向赤外線受光素子アレイ４４の各受光素子の受光出力が受光制御回路４６に入力される。
【００３３】
このとき、表示部２１の画面ＳＣに対してタッチペン３のペン先が接触していなかった場合は、横方向赤外線受光素子アレイ４２の各受光素子の全てにより赤外線が受光されて、横方向の各受光素子の全てから略一定の受光出力が出力され、同様に縦方向赤外線受光素子アレイ４４の各受光素子の全てにより赤外線が受光されて、縦方向の各受光素子の全てから略一定の受光出力が出力される。
【００３４】
また、表示部２１の画面ＳＣに対してタッチペン３のペン先が接触していた場合は、タッチペン３のペン先により、横方向赤外線発光素子アレイ４１の各発光素子の少なくとも１つの赤外線及び横方向赤外線発光素子アレイ４１の各発光素子の少なくとも１つの赤外線が遮断もしくは散乱されて、横方向赤外線受光素子アレイ４２におけるタッチペン３のペン先と同一のＸ軸方向位置にある少なくとも１つの受光素子の受光量が変化して、この受光素子の受光出力が変化し、また縦方向赤外線受光素子アレイ４４におけるタッチペン３のペン先と同一のＹ軸方向位置にある少なくとも１つの受光素子の受光量が変化して、この受光素子の受光出力が変化する。
【００３５】
受光制御回路４６は、横方向赤外線受光素子アレイ４２の各受光素子の受光出力の変化及び縦方向赤外線受光素子アレイ４４の各受光素子の受光出力の変化を判定し、この判定結果を座標生成部４７に出力する。座標生成部４７は、受光制御回路４６の判定結果に基づき、横方向赤外線受光素子アレイ４２における受光出力が変化した受光素子のＸ軸方向位置及び縦方向赤外線受光素子アレイ４４における受光出力が変化した受光素子のＹ軸方向位置を求め、表示部２１の画面ＳＣにおけるタッチペン３のペン先のＸ軸方向位置及びＹ軸方向位置（座標位置）を生成して制御部４８に出力する。
【００３６】
また、受信入力部６１は、タッチペン３のペン先が表示部２１の画面ＳＣに接触しているか否かを示す接触データ、及びタッチペン３の描き込み動作モードを示す動作モードデータをタッチペン３から受信入力して、これらの接触データ及び動作モードデータを制御部４８に出力する。
【００３７】
制御部４８は、タッチペン３からの接触データを入力すると、この接触データに基づきタッチペン３のペン先が表示部２１の画面ＳＣに接触しているか否かを判定し、ペン先が画面ＳＣに接触しているときにだけ、座標生成部４７から入力したタッチペン３のペン先の座標位置を有効とみなして、このペン先の座標位置を送信出力部４９からＰＣ５へと出力する。また、制御部４８は、タッチペン３からの動作モードデータを入力すると、この動作モードデータを送信出力部４９からＰＣ５へと送信出力する。尚、電源スイッチ６２は、電源部６３からの２次元入力部４の動作電力の供給をオンオフするために操作される。
【００３８】
このような構成の電子白板装置１において、例えばＰＣ５のＣＰＵ５６は、画像（ラスタイメージ）を示す画像データを画像メモリ５４から読み出して、この画像データを送信出力部５５からディスプレイ装置２へと送信出力する。ディスプレイ装置２では、画像データを受信入力部２４で受信入力して、画像データを制御部２５を通じて画像メモリ２３に記憶する。制御部２５は、表示部２１を駆動制御して、画像メモリ２３内の画像データによって示される画像を表示部２１の画面ＳＣに表示する。
【００３９】
従って、ＰＣ５の画像メモリ５４に所望の画像を示す画像データを記憶して、この画像データをＰＣ５からディスプレイ装置２へと送受すれば、この画像データによって示される画像をディスプレイ装置２の画面ＳＣに表示することができる。
【００４０】
また、２次元入力部４では、タッチペン３のペン先がディスプレイ装置２の画面ＳＣに接触した状態で移動されると、座標生成部４７は、画面ＳＣにおけるタッチペン３のペン先の座標位置を一定周期で繰り返し生成して制御部４８に出力する。このとき、タッチペン３では、接触検出スイッチ３２によりペン先が画面ＳＣに接触していることを検出し、ペン先３１が画面ＳＣに接触していることを示す接触データを送信出力部３４から２次元入力部４に送信出力する。２次元入力部４では、ペン先が画面ＳＣに接触していることを示す接触データを受信入力部６１で受信して制御部４８に入力し、制御部４８は、接触データに基づきタッチペン３のペン先が表示部２１の画面ＳＣに接触していると判定して、座標生成部４７から一定周期で繰り返し入力しているタッチペン３のペン先の座標位置を有効とみなして、ペン先の座標位置を送信出力部４９からＰＣ５へと一定周期で逐次送信出力する。
【００４１】
ＰＣ５では、ペン先の座標位置を受信入力部５１で一定周期で逐一受信してＣＰＵ５６に入力する。ＣＰＵ５６は、一定周期で繰り返し入力したペン先の各座標位置に基づき、ディスプレイ装置２の画面ＳＣにおけるペン先の移動軌跡を求め、このペン先の移動軌跡（ラスタイメージ）を示す画像データを画像メモリ５４に書き込み、このペン先の移動軌跡を示す画像データを送信出力部５５からディスプレイ装置２へと送信出力する。ディスプレイ装置２では、画像データを受信入力部２４で受信入力して、画像データを制御部２５を通じて画像メモリ２３に記憶する。制御部２５は、表示部２１を駆動制御して、画像メモリ２３内の画像データによって示される画像、つまりディスプレイ装置２の画面ＳＣにおけるペン先の移動軌跡を表示部２１の画面ＳＣに表示する。
【００４２】
従って、タッチペン３のペン先をディスプレイ装置２の画面ＳＣに接触させて移動させると、２次元入力部４により画面ＳＣにおけるタッチペン３のペン先の座標位置が一定周期で繰り返し検出されて、ＰＣ５により画面ＳＣにおけるタッチペン３のペン先の移動軌跡が求められ、ディスプレイ装置２の画面ＳＣにタッチペン３のペン先の移動軌跡が表示される。このため、例えばタッチペン３のペン先によりディスプレイ装置２の画面ＳＣ上に文字を描くと、この文字が画面ＳＣに表示される。
【００４３】
また、ＰＣ５では、画像データが画像メモリ５４に既に記憶されている場合に、ペン先の移動軌跡を示す画像データを画像メモリ５４内の画像データに上書きして、ペン先の移動軌跡を画像メモリ５４内の画像データによって示される画像に重ねて描き込み、この移動軌跡が描き込まれた画像を示す画像データをディスプレイ装置２へと送信出力する。ディスプレイ装置２では、この画像データを受信入力して画像メモリ２３に記憶し、この画像データによって示される移動軌跡が描き込まれた画像を表示部２１の画面ＳＣに表示する。例えば、図５（ａ）に示すように画面ＳＣ上で画像Ｗに移動軌跡Ｊが重ねて表示される。
【００４４】
更に、ＰＣ５では、操作部５９の操作により表示内容（画像や移動軌跡）の消去が指示されると、ＣＰＵ５６は、表示内容の消去を示す制御データを送信出力部５５からディスプレイ装置２へと送信出力する。ディスプレイ装置２では、制御データを受信入力部２４で受信して制御部２５に入力し、これに応答して制御部２５は、画像メモリ２３内の画像データを消去し、ディスプレイ装置２の画面ＳＣの表示内容を消去する。
【００４５】
ところで、ＰＣ５の操作部５９の操作により表示内容の消去を指示してから、タッチペン３のペン先によりディスプレイ装置２の画面ＳＣに移動軌跡を描き込む場合は、表示内容を消去するための操作と、タッチペン３のペン先により移動軌跡を描き込むための操作とを行う必要があって、操作が煩雑になる。
【００４６】
そこで、本実施形態の電子白板装置１では、タッチペン３のペン先をディスプレイ装置２の画面ＳＣに接触させて移動させるだけで、画面ＳＣにおけるタッチペン３のペン先を中心とする所定の消去範囲の以前より表示されている表示内容を消去して、画面ＳＣにタッチペン３のペン先の移動軌跡を表示することができるようにしている。すなわち、表示内容の消去のための操作を行わずに、以前より表示されている表示内容の消去とタッチペン３のペン先の移動軌跡の表示とを同時に行うことができるようにしている。
【００４７】
次に、そのようなタッチペン３のペン先を中心とする所定の消去範囲の以前より表示されている表示内容の消去とタッチペン３のペン先の移動軌跡の表示とを同時に行うための処理について詳しく説明する。
【００４８】
まず、本実施形態では、ディスプレイ装置２の画面ＳＣにタッチペン３のペン先の移動軌跡を表示するだけの通常描き込み動作モードと、ペン先の移動軌跡の表示と以前より表示されている表示内容の消去とを同時に行うことが可能な２種類の第１及び第２描き込み消去動作モードとのいずれかを選択的に設定することができるようにしている。
【００４９】
通常描き込み動作モードでは、図５（ａ）に示すように画面ＳＣ上で画像Ｗに移動軌跡Ｊを重ねて表示する。また、第１描き込み消去動作モードでは、図５（ｂ）に示すように画面ＳＣにタッチペン３のペン先の移動軌跡Ｊを表示して、タッチペン３のペン先を中心とする一定の消去範囲Ｋにおいて以前より表示されている画像Ｗ（表示内容）を消去する。更に、第２描き込み消去動作モードでは、図５（ｃ）に示すように画面ＳＣにタッチペン３のペン先の移動軌跡Ｊを表示して、ペン先の移動軌跡を包含する矩形状の消去範囲Ｈを求め、矩形状の消去範囲Ｈにおいて以前より表示されている画像Ｗ（表示内容）を消去する。
【００５０】
このような通常描き込み動作モード、第１及び第２描き込み消去動作モードは、タッチペン３による描き込みの前に選択される。また、第１描き込み消去動作モードについては、一定の消去範囲のサイズを予め設定する必要がある。
【００５１】
ここで、通常描き込み動作モード、第１及び第２描き込み消去動作モードのいずれかの選択は、タッチペン３の操作スイッチ３３の操作により行われる。タッチペン３では、操作スイッチ３３の操作により選択された動作モードを示す動作モードデータを送信出力部３４から２次元入力部４に送信出力する。２次元入力部４では、動作モードデータを受信入力部６１で受信入力して、動作モードデータを送信出力部４９からＰＣ５へと送信出力する。ＰＣ５では、動作モードデータを受信入力部５１で受信してＣＰＵ５６に入力し、ＣＰＵ５６は、入力した動作モードデータに対応する２つの値を図６（ａ）、（ｂ）に示すような記憶デバイス５２内の各テーブルＤＴ１、ＤＴ２に書き込む。図６（ａ）のテーブルＤＴ１には、通常描き込み動作モードが選択設定されたときにＥＭ値「０」が書き込まれ、また第１及び第２描き込み消去動作モードのいずれかが選択設定されたときにＥＭ値「１」が書き込まれる。また、図６（ｂ）のテーブルＤＴ２には、第１描き込み消去動作モードが選択設定されたときにＥＥ値「０」が書き込まれ、また第２描き込み消去動作モードが選択設定されたときにＥＥ値「１」が書き込まれる。従って、各テーブルＤＴ１、ＤＴ２のＥＭ値及びＥＥ値を参照することにより、通常描き込み動作モード、第１及び第２描き込み消去動作モードのいずれが予め選択されたかを判定することができる。
【００５２】
また、第１描き込み消去動作モードにおける消去範囲のサイズは、ＰＣ５の操作部５９の操作により設定される。例えば、図７（ａ）に示すようなテーブルＤＴ３を記憶デバイス５２に作成して、操作部５９の操作により消去範囲の半径ＥＭｒ（ラスタイメージにおける画素数）をテーブルＤＴ３に書き込んでいる。
【００５３】
更に、第１及び第２描き込み消去動作モードでは、後で述べるように消去範囲のＸ軸方向の最小値ＥＭｘ１と最大値ＥＭｘ２、及び消去範囲のＹ軸方向の最小値ＥＭｙ１と最大値ＥＭｙ２を求めて用いるので、これらの値を記憶するための図７（ｂ）に示すようテーブルＤＴ４を記憶デバイス５２に作成している。
【００５４】
このようにして通常描き込み動作モード、第１及び第２描き込み消去動作モードのいずれかが選択設定され、また第１描き込み消去動作モードにおける消去範囲の半径ＥＭｒが設定される。
【００５５】
次に、図８のフローチャートを参照しつつ、通常描き込み動作モード、第１及び第２描き込み消去動作モードのいずれかを選択して実施するための手順を説明する。
【００５６】
まず、ＰＣ５のＣＰＵ５６は、記憶デバイス５２に記憶されている図６（ａ）のテーブルＤＴ１のＥＭ値を参照して（ステップＳ１０１）、ＥＭ値が「０」であるか否かを判定し（ステップＳ１０２）、ＥＭ値が「０」であれば（ステップＳ１０２で「Ｙｅｓ」）、通常描き込み動作モードを選択設定する（ステップＳ１０３）。この場合は、図５（ａ）に示すようにディスプレイ装置２の画面ＳＣにタッチペン３のペン先の移動軌跡Ｊを表示するだけであって、以前より表示されている画像Ｗ（表示内容）を自動的に消去することはない。
【００５７】
また、ＥＭ値が「１」であれば（ステップＳ１０２で「Ｎｏ」）、ＰＣ５のＣＰＵ５６は、記憶デバイス５２に記憶されている図６（ｂ）のテーブルＤＴ２のＥＥ値を参照して（ステップＳ１０４）、ＥＥ値が「０」であるか否かを判定し（ステップＳ１０５）、ＥＥ値が「０」であれば（ステップＳ１０５で「Ｙｅｓ」）、第１描き込み消去動作モードを選択設定する（ステップＳ１０６）。この場合は、図５（ｂ）に示すようにディスプレイ装置２の画面ＳＣにタッチペン３のペン先の移動軌跡Ｊを表示して、タッチペン３のペン先を中心とする一定の消去範囲Ｋにおいて以前より表示されている画像Ｗ（表示内容）を消去する。
【００５８】
更に、ＥＥ値が「１」であれば（ステップＳ１０５で「Ｎｏ」）、第２描き込み消去動作モードを選択設定する（ステップＳ１０７）。この場合は、図５（ｃ）に示すようにディスプレイ装置２の画面ＳＣにタッチペン３のペン先の移動軌跡Ｊを表示して、ペン先の移動軌跡を包含する矩形状の消去範囲Ｈを求め、矩形状の消去範囲Ｈにおいて以前より表示されている画像Ｗ（表示内容）を消去する。
【００５９】
このように各テーブルＤＴ１、ＤＴ２のＥＭ値及びＥＥ値に基づき、通常描き込み動作モード、第１及び第２描き込み消去動作モードのいずれが選択設定される。
【００６０】
次に、図８のステップＳ１０６の第１描き込み消去動作モードの処理手順を、図９のフローチャートを参照しつつ詳しく説明する。
【００６１】
まず、図４に示すディスプレイ装置２の画面ＳＣにおいて、横方向をＸ軸方向とし、縦方向をＹ軸方向とし、左上角の原点の座標位置を（０，０）とし、右下角の座標位置を（Ｘmax，Ｙmax）とし、任意画素の座標位置を（ｘ，ｙ）とし、２次元入力部４により検出されたタッチペン３のペン先の画素の座標位置を（ｐｘ，ｐｙ）とする。また、ＰＣ５の画像メモリ５４には、画面ＳＣの座標（０，０）〜（Ｘmax，Ｙmax）に対応するメモリ領域があって、画面ＳＣの画素の座標位置に対応するメモリ領域の座標位置を（Ｇｘ，Ｇｙ）とする。そして、メモリ領域の座標位置（Ｇｘ，Ｇｙ）には、画面ＳＣにおける座標位置（ｘ，ｙ）の任意画素の値（例えば色度を示す値）として、「２〜６５５３５」が書き込まれる。また、メモリ領域の座標位置（Ｇｘ，Ｇｙ）に「０」が書き込まれている場合は、任意画素の値が初期化されて設定されていないものとし、更に座標位置（Ｇｘ，Ｇｙ）に「１」が書き込まれている場合は、任意画素にタッチペン３のペン先が接触もしくは摺接したものとする。
【００６２】
さて、このような前提のもとに、２次元入力部４では、タッチペン３のペン先がディスプレイ装置２の画面ＳＣに接触した状態で移動されて、タッチペン３のペン先による描き込みが行われると、画面ＳＣにおけるタッチペン３のペン先の座標位置（ｐｘ，ｐｙ）を一定周期で繰り返し生成し、ペン先の座標位置（ｐｘ，ｐｙ）をＰＣ５へと一定周期で逐次送信出力する。
【００６３】
ＰＣ５では、ペン先の座標位置（ｐｘ，ｐｙ）を一定周期で逐一受信する度に、ペン先の座標位置（ｐｘ，ｐｙ）をＣＰＵ５６に入力する（ステップＳ２０１）。そして、ＣＰＵ５６は、ペン先の座標位置（ｐｘ，ｐｙ）を入力すると、ペン先の座標位置（ｐｘ，ｐｙ）に対応するメモリ領域の座標位置（Ｇｘ，Ｇｙ）の任意画素の値を、タッチペン３のペン先が接触もしくは摺接したことを示す「１」に書き換える（ステップＳ２０２）。そして、ＣＰＵ５６は、記憶デバイス５２のテーブルＤＴ３から半径ＥＭｒを読み出して、ペン先の座標位置（ｐｘ，ｐｙ）を中心とする半径ＥＭｒの消去範囲を求め、この消去範囲の各画素に対応するメモリ領域の各画素の値「０又は２〜６５５３５」を「０」に書き換えて初期化する（ステップＳ２０３）。ただし、ステップＳ２０３においては、ペン先の座標位置（ｐｘ，ｐｙ）に対応するメモリ領域の座標位置（Ｇｘ，Ｇｙ）の任意画素の値「１」を「０」に書き換えずにそのまま残す。
【００６４】
引き続いて、ＣＰＵ５６は、タッチペン３のペン先の座標位置（ｐｘ，ｐｙ）の一定周期の受信が継続しているか否かを判定し（ステップＳ２０４）、継続しているならば（ステップＳ２０４で「Ｙｅｓ」）、タッチペン３のペン先による描き込みが継続しているので、ステップＳ２０１〜Ｓ２０３を繰り返して、ペン先の座標位置（ｐｘ，ｐｙ）を入力し、ペン先の座標位置（ｐｘ，ｐｙ）に対応するメモリ領域の座標位置（Ｇｘ，Ｇｙ）の任意画素の値を「１」に書き換え、ペン先の座標位置（ｐｘ，ｐｙ）を中心とする半径ＥＭｒの消去範囲の各画素に対応するメモリ領域の各画素の値「０又は２〜６５５３５」を「０」に書き換えて初期化する。
【００６５】
こうしてタッチペン３のペン先による描き込みが継続されている限り、ステップＳ２０１〜Ｓ２０３が繰り返されて、ペン先の座標位置（ｐｘ，ｐｙ）に対応するメモリ領域の座標位置（Ｇｘ，Ｇｙ）の任意画素の値が「１」に書き換えられ、ペン先の座標位置（ｐｘ，ｐｙ）を中心とする半径ＥＭｒの消去範囲の各画素に対応するメモリ領域の各画素の値「０又は２〜６５５３５」が「０」に書き換えて初期化される。この結果、画面ＳＣにおけるペン先の移動軌跡上の各画素に対応するメモリ領域の各画素の値が「１」に書き換えられ、移動軌跡に沿った帯状の消去範囲が形成され、この消去範囲の各画素に対応するメモリ領域の各画素の値「０又は２〜６５５３５」が「０」に書き換えられて初期化される。
【００６６】
そして、ＣＰＵ５６は、タッチペン３のペン先の座標位置（ｐｘ，ｐｙ）の一定周期の受信が停止すると（ステップＳ２０４で「Ｎｏ」）、タッチペン３のペン先による描き込みが終了したので、メモリ領域における値「１」の各画素を選択して、これらの画素の値を、タッチペン３のペン先の移動軌跡を示す予め設定された値Ｐｃ（「２〜６５５３５」の範囲の値）に書き換える（ステップＳ２０５）。
【００６７】
この後、ＣＰＵ５６は、画像メモリ５４のメモリ領域の画像データを読出して、この画像データを送信出力部５５からディスプレイ装置２へと送信出力する。ディスプレイ装置２では、画像データを受信入力部２４で受信入力して画像メモリ２３に記憶し、制御部２５は、表示部２１を駆動制御して、画像メモリ２３内の画像データによって示される画像を表示部２１の画面ＳＣに表示する（ステップＳ２０６）。これにより、表示部２１の画面ＳＣには、タッチペン３のペン先の移動軌跡が表示され、かつ移動軌跡に沿った帯状の消去範囲の表示内容が消去される。
【００６８】
例えば、図５（ｂ）に示すように画面ＳＣ上で移動軌跡Ｊが表示され、移動軌跡Ｊに沿った帯状の消去範囲Ｋにおいて以前より表示されている画像Ｗ（表示内容）が消去される。
【００６９】
次に、図９のステップＳ２０３の処理手順、つまりペン先を中心とする半径ＥＭｒの消去範囲を求めて、この消去範囲の各画素に対応するメモリ領域の各画素の値を「０」に書き換えて初期化する処理手順を、図１０のフローチャートを参照しつつ詳しく説明する。
【００７０】
まず、ＣＰＵ５６は、ディスプレイ装置２の画面ＳＣにおけるタッチペン３のペン先の座標位置（ｐｘ，ｐｙ）と消去範囲の半径ＥＭｒを用いて、消去範囲のＸ軸方向の最小値ＥＭｘ１（＝ｐｘ−ＥＭｒ）を求めて、最小値ＥＭｘ１を記憶デバイス５２のテーブルＤＴ４に書き込み（ステップＳ３０１）、消去範囲のＸ軸方向の最小値ＥＭｘ１がディスプレイ装置２の画面ＳＣのＸ軸方向の最小値「０」よりも小さいか否か、つまり消去範囲が画面ＳＣからはみ出すか否かを判定し（ステップＳ３０２）、はみ出なければ（ステップＳ３０２で「Ｎｏ」）、消去範囲のＸ軸方向の最小値ＥＭｘ１（＝ｐｘ−ＥＭｒ）を維持し、またはみ出せば（ステップＳ３０２で「Ｙｅｓ」）、消去範囲のＸ軸方向の最小値ＥＭｘ１を「０」に更新する（ステップＳ３０３）。
【００７１】
また、消去範囲のＸ軸方向の最大値ＥＭｘ２（＝ｐｘ＋ＥＭｒ）を求めて、最大値ＥＭｘ２を記憶デバイス５２のテーブルＤＴ４に書き込み（ステップＳ３０４）、消去範囲のＸ軸方向の最大値ＥＭｘ２がディスプレイ装置２の画面ＳＣの最大値「Ｘmax」よりも大きいか否か、つまり消去範囲が画面ＳＣからはみ出すか否かを判定し（ステップＳ３０５）、はみ出なければ（ステップＳ３０５で「Ｎｏ」）、消去範囲のＸ軸方向の最大値ＥＭｘ２（＝ｐｘ＋ＥＭｒ）を維持し、またはみ出せば（ステップＳ３０５で「Ｙｅｓ」）、消去範囲のＸ軸方向の最大値ＥＭｘ２を「Ｘmax」に更新する（ステップＳ３０６）。
【００７２】
同様に、ＣＰＵ５６は、消去範囲のＹ軸方向の最小値ＥＭｙ１（＝ｐｙ−ＥＭｒ）を求め、最小値ＥＭｙ１を記憶デバイス５２のテーブルＤＴ４に書き込み（ステップＳ３０７）、消去範囲のＹ軸方向の最小値ＥＭｙ１が画面ＳＣのＹ軸方向の最小値「０」よりも小さいか否か、つまり消去範囲が画面ＳＣからはみ出すか否かを判定し（ステップＳ３０８）、はみ出なければ（ステップＳ３０８で「Ｎｏ」）、消去範囲のＹ軸方向の最小値ＥＭｙ１（＝ｐｙ−ＥＭｒ）を維持し、またはみ出せば（ステップＳ３０８で「Ｙｅｓ」）、消去範囲のＹ軸方向の最小値ＥＭｙ１を「０」に更新する（ステップＳ３０９）。
【００７３】
また、消去範囲のＹ軸方向の最大値ＥＭｙ２（＝ｐｙ＋ＥＭｒ）を求めて、最大値ＥＭｙ２を記憶デバイス５２のテーブルＤＴ４に書き込み（ステップＳ３１０）、消去範囲のＹ軸方向の最大値ＥＭｙ２がディスプレイ装置２の画面ＳＣの最大値「Ｙmax」よりも大きいか否か、つまり消去範囲が画面ＳＣからはみ出すか否かを判定し（ステップＳ３１１）、はみ出なければ（ステップＳ３１１で「Ｎｏ」）、消去範囲のＹ軸方向の最大値ＥＭｙ２（＝ｐｙ＋ＥＭｒ）を維持し、またはみ出せば（ステップＳ３１１で「Ｙｅｓ」）、消去範囲のＹ軸方向の最大値ＥＭｙ２を「Ｙmax」に更新する（ステップＳ３１２）。
【００７４】
このようなステップＳ３０１〜Ｓ３１２の処理により、タッチペン３のペン先を中心とする半径ＥＭｒの消去範囲であって、かつディスプレイ装置２の画面ＳＣからはみ出さない消去範囲が求められる。
【００７５】
引き続いて、ＣＰＵ５６は、値ｉを消去範囲のＸ軸方向の最小値ＥＭｘ１に設定すると共に、値ｊを消去範囲のＹ軸方向の最小値ＥＭｙ１に設定し（ステップＳ３１３、Ｓ３１４）、タッチペン３のペン先の座標位置（ｐｘ，ｐｙ）と座標位置（ｉ、ｊ）間のＸ軸方向の距離ｄｘ（＝|ｐｘ−ｉ|）及びＹ軸方向の距離ｄｙ（＝|ｐｙ−ｉ|）を求めて（ステップＳ３１５）、タッチペン３のペン先の座標位置（ｐｘ，ｐｙ）と座標位置（ｉ、ｊ）間の直線距離ｄｄ（＝√（ｄｘ2＋ｄｙ2））を求め（ステップＳ３１６）、この直線距離ｄｄが半径ＥＭｒ以下であるか否かを判定する（ステップＳ３１７）。すなわち、座標位置（ｉ、ｊ）がペン先を中心とする半径ＥＭｒの消去範囲に入るか否かを判定する。
【００７６】
そして、ＣＰＵ５６は、座標位置（ｉ、ｊ）がペン先を中心とする半径ＥＭｒの消去範囲に入れば（ステップＳ３１７で「Ｙｅｓ」）、画面ＳＣの座標位置（ｉ、ｊ）に対応する画像メモリ５４のメモリ領域の座標位置の値が「１」であるか否か判定し（ステップＳ３１８）、つまり画面ＳＣの座標位置（ｉ、ｊ）の画素がタッチペン３のペン先の移動軌跡上にあるか否かを判定し、メモリ領域の座標位置の値が「１」でなく（ステップＳ３１８で「Ｎｏ」）、画面ＳＣの座標位置（ｉ、ｊ）の画素がタッチペン３のペン先の移動軌跡上になければ、メモリ領域の座標位置の値「０又は２〜６５５３５」を「０」に初期化する（ステップＳ３１９）。
【００７７】
また、座標位置（ｉ、ｊ）がペン先を中心とする半径ＥＭｒの消去範囲に入らなければ（ステップＳ３１７で「Ｎｏ」）、座標位置（ｉ、ｊ）の画素の値を消去する必用がないことから、座標位置（ｉ、ｊ）に対応するメモリ領域の座標位置の値を書き換えずにそのまま残す。更に、座標位置（ｉ、ｊ）に対応するメモリ領域の座標位置の値が「１」であって（ステップＳ３１８で「Ｙｅｓ」）、座標位置（ｉ、ｊ）の画素がタッチペン３のペン先の移動軌跡上にあれば、メモリ領域の座標位置の値「１」を書き換えずにそのまま残す。
【００７８】
この後、値ｊが消去範囲のＹ軸方向の最大値ＥＭｙ２未満であることを確認してから（ステップＳ３２０で「Ｙｅｓ」）、値ｊを歩進し（ステップＳ３２１）、ステップＳ３１５〜Ｓ３１９を繰り返す。以降同様に、値ｉを消去範囲のＸ軸方向の最小値ＥＭｘ１に維持したまま、値ｊが消去範囲のＹ軸方向の最大値ＥＭｙ２に達するまで値ｊを歩進して、その度に、ステップＳ３１５〜Ｓ３１９を繰り返す。
【００７９】
更に、値ｊが消去範囲のＹ軸方向の最大値ＥＭｙ２に達すると（ステップＳ３２０で「Ｎｏ」）、値ｉが消去範囲のＸ軸方向の最大値ＥＭｘ２未満であることを確認してから（ステップＳ３２２で「Ｙｅｓ」）、値ｉを歩進し（ステップＳ３２３）、ステップＳ３１４に戻って、値ｊを消去範囲のＹ軸方向の最小値ＥＭｙ１に再設定し、ステップＳ３１５〜Ｓ３２１を繰り返す。
【００８０】
そして、値ｉが消去範囲のＸ軸方向の最大値ＥＭｘ２に達すると（ステップＳ３２２で「Ｎｏ」）、ステップＳ３１３〜Ｓ３２３の処理を終了する。
【００８１】
このようなステップＳ３１３〜Ｓ３２３の処理により、画面ＳＣにおけるペン先の移動軌跡上の各画素に対応するメモリ領域の各画素の値「１」が残され、移動軌跡に沿った帯状の消去範囲の各画素に対応するメモリ領域の各画素の値「０又は２〜６５５３５」が値「０」に書き換えられて初期化される（ステップＳ３２４）。
【００８２】
次に、図８のステップＳ１０７の第２描き込み消去動作モードの処理手順を、図１１のフローチャートを参照しつつ詳しく説明する。
【００８３】
ここでも、図４に示すディスプレイ装置２の画面ＳＣにおいて、横方向をＸ軸方向とし、縦方向をＹ軸方向とし、左上角の原点の座標位置を（０，０）とし、右下角の座標位置を（Ｘmax，Ｙmax）とし、任意画素の座標位置を（ｘ，ｙ）とし、２次元入力部４による検出されたタッチペン３のペン先の画素の座標位置を（ｐｘ，ｐｙ）とする。また、ＰＣ５の画像メモリ５４には、画面ＳＣの座標（０，０）〜（Ｘmax，Ｙmax）に対応するメモリ領域があって、画面ＳＣの画素の座標位置に対応するメモリ領域の座標位置を（Ｇｘ，Ｇｙ）とする。そして、メモリ領域の座標位置（Ｇｘ，Ｇｙ）には、画面ＳＣにおける座標位置（ｘ，ｙ）の任意画素の値（例えば色度を示す値）として、「２〜６５５３５」が書き込まれる。また、メモリ領域の座標位置（Ｇｘ，Ｇｙ）に「０」が書き込まれている場合は、任意画素の値が初期化されて設定されていないものとし、更に座標位置（Ｇｘ，Ｇｙ）に「１」が書き込まれている場合は、任意画素にタッチペン３のペン先が接触もしくは摺接したものとする。
【００８４】
このような前提のもとに、２次元入力部４では、タッチペン３のペン先がディスプレイ装置２の画面ＳＣに接触した状態で移動されて、タッチペン３のペン先による描き込みが行われると、画面ＳＣにおけるタッチペン３のペン先の座標位置（ｐｘ，ｐｙ）を一定周期で繰り返し生成し、ペン先の座標位置（ｐｘ，ｐｙ）をＰＣ５へと一定周期で逐次送信出力する。
【００８５】
ＰＣ５では、ペン先の座標位置（ｐｘ，ｐｙ）を一定周期で逐一受信する度に、ペン先の座標位置（ｐｘ，ｐｙ）をＣＰＵ５６に入力する（ステップＳ４０１）。そして、ＣＰＵ５６は、ペン先の座標位置（ｐｘ，ｐｙ）を入力すると、ディスプレイ装置２の画面ＳＣにおける矩形領域のＸ軸方向の最小値ＥＭｘ１と最大値ＥＭｘ２を値ｐｘに初期設定すると共に、矩形領域のＹ軸方向の最小値ＥＭｙ１と最大値ＥＭｙ２を値ｐｙに初期設定する（ステップＳ４０２）また、ＣＰＵ５６は、ペン先の座標位置（ｐｘ，ｐｙ）に対応するメモリ領域の座標位置（Ｇｘ，Ｇｙ）の任意画素の値を、タッチペン３のペン先が接触もしくは摺接したことを示す「１」に書き換える（ステップＳ４０３）。
【００８６】
引き続いて、ＣＰＵ５６は、ペン先の座標位置（ｐｘ，ｐｙ）をＣＰＵ５６に再度入力し（ステップＳ４０４）、ペン先の座標位置（ｐｘ，ｐｙ）に対応するメモリ領域の座標位置（Ｇｘ，Ｇｙ）の任意画素の値を、タッチペン３のペン先が接触もしくは摺接したことを示す「１」に書き換える（ステップＳ４０５）。そして、ＣＰＵ５６は、矩形領域のＸ軸方向の最小値ＥＭｘ１及び最大値ＥＭｘ２を値ｐｘと比較し（ステップＳ４０６）、値ｐｘが最小値ＥＭｘ１よりも小さければ（ステップＳ４０７で「Ｙｅｓ」）、最小値ＥＭｘ１を値ｐｘに更新し（ステップＳ４０８）、また値ｐｘが最小値ＥＭｘ１よりも小さくなければ（ステップＳ４０７で「Ｎｏ」）、最小値ＥＭｘ１を更新せずに維持する。また、値ｐｘが最大値ＥＭｘ２よりも大きければ（ステップＳ４０９で「Ｙｅｓ」）、最大値ＥＭｘ２を値ｐｘに更新し（ステップＳ４１０）、また値ｐｘが最大値ＥＭｘ２よりも大きくなければ（ステップＳ４０９で「Ｎｏ」）、最大値ＥＭｘ２を更新せずに維持する。
【００８７】
同様に、ＣＰＵ５６は、矩形領域のＹ軸方向の最小値ＥＭｙ１及び最大値ＥＭｙ２を値ｐｙと比較し（ステップＳ４１１）、値ｐｙが最小値ＥＭｙ１よりも小さければ（ステップＳ４１２で「Ｙｅｓ」）、最小値ＥＭｙ１を値ｐｙに更新し（ステップＳ４１３）、また値ｐｙが最小値ＥＭｙ１よりも小さくなければ（ステップＳ４１２で「Ｎｏ」）、最小値ＥＭｙ１を更新せずに維持する。また、値ｐｙが最大値ＥＭｙ２よりも大きければ（ステップＳ４１４で「Ｙｅｓ」）、最大値ＥＭｙ２を値ｐｙに更新し（ステップＳ４１５）、また値ｐｙが最大値ＥＭｙ２よりも大きくなければ（ステップＳ４１４で「Ｎｏ」）、最大値ＥＭｙ２を更新せずに維持する。
【００８８】
引き続いて、ＣＰＵ５６は、タッチペン３のペン先の座標位置（ｐｘ，ｐｙ）の一定周期の受信が継続しているか否かを判定し（ステップＳ４１６）、継続しているならば（ステップＳ４１６で「Ｙｅｓ」）、タッチペン３のペン先による描き込みが継続しているので、ステップＳ４０４〜Ｓ４１５を繰り返して、ペン先の座標位置（ｐｘ，ｐｙ）を入力し、値ｐｘに応じて矩形領域のＸ軸方向の最小値ＥＭｘ１と最大値ＥＭｘ２を更新すると共に、値ｐｙに応じて矩形領域のＹ軸方向の最小値ＥＭｙ１と最大値ＥＭｙ２を更新する。
【００８９】
こうしてタッチペン３のペン先による描き込みが継続されている限り、ステップＳ４０４〜Ｓ４１６が繰り返されて、ペン先の各座標位置（ｐｘ，ｐｙ）からなる移動軌跡が入力され、Ｘ軸方向の最小値ＥＭｘ１と最大値ＥＭｘ２及びＹ軸方向の最小値ＥＭｙ１と最大値ＥＭｙ２で規定される矩形領域、すなわちタッチペン３のペン先の移動軌跡を包含する最小の矩形領域が求められる。
【００９０】
そして、ＣＰＵ５６は、タッチペン３のペン先の座標位置（ｐｘ，ｐｙ）の一定周期の受信が停止すると（ステップＳ４１６で「Ｎｏ」）、タッチペン３のペン先による描き込みが終了したので、記憶デバイス５２のテーブルＤＴ３から半径ＥＭｒを読み出して、矩形領域を左右方向及び上下方向のいずれにも半径ＥＭｒだけ拡大した矩形状の消去範囲を求め、この矩形状の消去範囲の各画素に対応するメモリ領域の各画素の値「０又は２〜６５５３５」を「０」に書き換えて初期化する（ステップＳ４１７）。ただし、ステップＳ４１７においては、ペン先の座標位置（ｐｘ，ｐｙ）に対応するメモリ領域の座標位置（Ｇｘ，Ｇｙ）の任意画素の値「１」を「０」に書き換えずにそのまま残す。
【００９１】
更に、ＣＰＵ５６は、メモリ領域における値「１」の各画素を選択して、これらの画素の値を、タッチペン３のペン先の移動軌跡を示す予め設定された値Ｐｃ（「２〜６５５３５」の範囲の値）に書き換える（ステップＳ４１８）。
【００９２】
この後、ＰＣ５のＣＰＵ５６は、画像メモリ５４のメモリ領域の画像データを読出して、この画像データを送信出力部５５からディスプレイ装置２へと送信出力する。ディスプレイ装置２では、画像データを受信入力部２４で受信入力して画像メモリ２３に記憶し、制御部２５は、表示部２１を駆動制御して、画像メモリ２３内の画像データによって示される画像を表示部２１の画面ＳＣに表示する（ステップＳ４１９）。これにより、表示部２１の画面ＳＣには、タッチペン３のペン先の移動軌跡が表示され、かつ移動軌跡を含む矩形状の消去範囲の表示内容が消去される。
【００９３】
例えば、図５（ｃ）に示すように画面ＳＣ上で移動軌跡Ｊが表示され、移動軌跡Ｊを含む矩形状の消去範囲Ｈにおいて以前より表示されている画像Ｗ（表示内容）が消去される。
【００９４】
次に、図１１のステップＳ４１７の処理手順、つまりペン先の移動軌跡を含む最小の矩形領域を左右方向及び上下方向のいずれにも半径ＥＭｒだけ拡大した矩形状の消去範囲を求め、この矩形状の消去範囲の各画素に対応するメモリ領域の各画素の値を「０」に書き換えて初期化する処理手順を、図１２のフローチャートを参照しつつ詳しく説明する。
【００９５】
まず、ＣＰＵ５６は、記憶デバイス５２のテーブルＤＴ３から半径ＥＭｒを読み出し、半径ＥＭｒと図４のステップＳ４０４〜Ｓ４１６で求めたペン先の移動軌跡を包含する最小矩形領域のＸ軸方向の最小値ＥＭｘ１とから、値（ＥＭｘ１−ＥＭｒ）を求めて、この値を矩形状の消去範囲のＸ軸方向の最小値ＥＭｘ１として記憶デバイス５２のテーブルＤＴ４に書き込み（ステップＳ５０１）、この最小値ＥＭｘ１がディスプレイ装置２の画面ＳＣのＸ軸方向の最小値「０」よりも小さいか否か、つまり矩形状の消去範囲が画面ＳＣからはみ出すか否かを判定し（ステップＳ５０２）、はみ出なければ（ステップＳ５０２で「Ｎｏ」）、この最小値ＥＭｘ１を維持し、またはみ出せば（ステップＳ５０２で「Ｙｅｓ」）、この最小値ＥＭｘ１を値「０」に更新する（ステップＳ５０３）。
【００９６】
また、半径ＥＭｒと図４のステップＳ４０４〜Ｓ４１６で求めたペン先の移動軌跡を包含する最小矩形領域のＸ軸方向の最大値ＥＭｘ２とから、値（ＥＭｘ２＋ＥＭｒ）を求めて、この値を矩形状の消去範囲のＸ軸方向の最大値ＥＭｘ２として記憶デバイス５２のテーブルＤＴ４に書き込み（ステップＳ５０４）、この最大値ＥＭｘ２がディスプレイ装置２の画面ＳＣの最大値「Ｘmax」よりも大きいか否か、つまり矩形状の消去範囲が画面ＳＣからはみ出すか否かを判定し（ステップＳ５０５）、はみ出なければ（ステップＳ５０５で「Ｎｏ」）、この最大値ＥＭｘ２を維持し、またはみ出せば（ステップＳ５０５で「Ｙｅｓ」）、この最大値ＥＭｘ２を値「Ｘmax」に更新する（ステップＳ５０６）。
【００９７】
同様に、ＣＰＵ５６は、半径ＥＭｒと図４のステップＳ４０４〜Ｓ４１６で求めたペン先の移動軌跡を包含する最小矩形領域のＹ軸方向の最小値ＥＭｙ１とから、値（ＥＭｙ１−ＥＭｒ）を求めて、この値を矩形状の消去範囲のＹ軸方向の最小値ＥＭｙ１として記憶デバイス５２のテーブルＤＴ４に書き込み（ステップＳ５０７）、この最小値ＥＭｙ１が画面ＳＣのＹ軸方向の最小値「０」よりも小さいか否か、つまり消去範囲が画面ＳＣからはみ出すか否かを判定し（ステップＳ５０８）、はみ出なければ（ステップＳ５０８で「Ｎｏ」）、この最小値ＥＭｙ１を維持し、またはみ出せば（ステップＳ５０８で「Ｙｅｓ」）、この最小値ＥＭｙ１を値「０」に更新する（ステップＳ５０９）。
【００９８】
また、半径ＥＭｒと図４のステップＳ４０４〜Ｓ４１６で求めたペン先の移動軌跡を包含する最小矩形領域のＹ軸方向の最大値ＥＭｙ２とから、値（ＥＭｙ２＋ＥＭｒ）を求めて、この値を矩形状の消去範囲のＹ軸方向の最大値ＥＭｙ２として記憶デバイス５２のテーブルＤＴ４に書き込み（ステップＳ５１０）、この最大値ＥＭｙ２がディスプレイ装置２の画面ＳＣの最大値「Ｙmax」よりも大きいか否か、つまり消去範囲が画面ＳＣからはみ出すか否かを判定し（ステップＳ５１１）、はみ出なければ（ステップＳ５１１で「Ｎｏ」）、この最大値ＥＭｙ２を維持し、またはみ出せば（ステップＳ５１１で「Ｙｅｓ」）、この最大値ＥＭｙ２を値「Ｙmax」に更新する（ステップＳ５１２）。
【００９９】
このようなステップＳ５０１〜Ｓ５１２の処理により、タッチペン３のペン先の移動軌跡を包含する矩形状の消去範囲であって、かつディスプレイ装置２の画面ＳＣからはみ出さない消去範囲が求められる。
【０１００】
引き続いて、ＣＰＵ５６は、値ｉを消去範囲のＸ軸方向の最小値ＥＭｘ１に設定すると共に、値ｊを消去範囲のＹ軸方向の最小値ＥＭｙ１に設定し（ステップＳ５１３、Ｓ５１４）、画面ＳＣの座標位置（ｉ、ｊ）に対応する画像メモリ５４のメモリ領域の座標位置の値が「１」であるか否か判定し（ステップＳ５１５）、つまり画面ＳＣの座標位置（ｉ、ｊ）の画素がタッチペン３のペン先の移動軌跡上にあるか否かを判定し、メモリ領域の座標位置の値が「１」でなく（ステップＳ５１５で「Ｎｏ」）、画面ＳＣの座標位置（ｉ、ｊ）の画素がタッチペン３のペン先の移動軌跡上になければ、メモリ領域の座標位置の値「０又は２〜６５５３５」を「０」に初期化する（ステップＳ５１６）。
【０１０１】
また、座標位置（ｉ、ｊ）に対応するメモリ領域の座標位置の値が「１」であって（ステップＳ５１５で「Ｙｅｓ」）、座標位置（ｉ、ｊ）の画素がタッチペン３のペン先の移動軌跡上にあれば、メモリ領域の座標位置の値「１」を書き換えずにそのまま残す。
【０１０２】
この後、値ｊが消去範囲のＹ軸方向の最大値ＥＭｙ２未満であることを確認してから（ステップＳ５１７で「Ｙｅｓ」）、値ｊを歩進し（ステップＳ５１８）、ステップＳ５１５、Ｓ５１６を繰り返す。以降同様に、値ｉを消去範囲のＸ軸方向の最小値ＥＭｘ１に維持したまま、値ｊが消去範囲のＹ軸方向の最大値ＥＭｙ２に達するまで値ｊを歩進して、その度に、ステップＳ５１５、Ｓ５１６を繰り返す。
【０１０３】
更に、値ｊが消去範囲のＹ軸方向の最大値ＥＭｙ２に達すると（ステップＳ５１７で「Ｎｏ」）、値ｉが消去範囲のＸ軸方向の最大値ＥＭｘ２未満であることを確認してから（ステップＳ５１９で「Ｙｅｓ」）、値ｉを歩進し（ステップＳ５２０）、ステップＳ５１４に戻って、値ｊを消去範囲のＹ軸方向の最小値ＥＭｙ１に再設定し、ステップＳ５１５、Ｓ５１６を繰り返す。
【０１０４】
そして、値ｉが消去範囲のＸ軸方向の最大値ＥＭｘ２に達すると（ステップＳ５１９で「Ｎｏ」）、ステップＳ５１３〜Ｓ５２０の処理を終了する。
【０１０５】
このようなステップＳ５１３〜Ｓ５２０の処理により、画面ＳＣにおけるペン先の移動軌跡上の各画素に対応するメモリ領域の各画素の値「１」が残され、移動軌跡を含む矩形状の消去範囲の各画素に対応するメモリ領域の各画素の値「０又は２〜６５５３５」が値「０」に書き換えられて初期化される（ステップＳ５２１）。
【０１０６】
尚、上記実施形態では、２次元入力部４によりペン先の座標位置の検出が停止してから、ペン先の移動軌跡をディスプレイ装置２の画面ＳＣに表示し、かつペン先の移動軌跡に沿った帯状の消去範囲の以前より表示されている表示内容を消去したり、ペン先の移動軌跡を含む矩形状の消去範囲の以前より表示されている表示内容を消去したりしているが、２次元入力部４により検出されたペン先の座標位置が更新される度に、ペン先の移動軌跡をディスプレイ装置２の画面ＳＣに表示し、かつ消去範囲の以前より表示されている表示内容を消去しても構わない。
【０１０７】
また、ペン先を中心とする半径ＥＭｒの消去範囲を設定する代わりに、ペン先を中心とする矩形状の消去範囲を設定してもよい。あるいは、ペン先の移動軌跡を含む矩形状の消去範囲を設定する代わりに、ペン先の移動軌跡を含む円形状の消去範囲を設定しても構わない。
【０１０８】
更に、ペン先の移動軌跡をディスプレイ装置２の画面ＳＣに表示しているが、ディスプレイ装置２の画面ＳＣにおけるペン先の位置にコンテンツをコピーし、かつペン先を中心とする消去範囲の以前より表示されている表示内容を消去しても構わない。
【０１０９】
また、２次元入力部として、赤外線方式のものを例示しているが、多種多様な他の方式のものが提供されているので、他の方式のものを適用しても構わない。例えば、抵抗膜方式や静電容量方式のもの等がある。また、一点入力一点検出が可能なもの、多点入力多点検出が可能なもののいずれでも適用可能である。
【０１１０】
以上、添付図面を参照しながら本発明の好適な実施形態及び変形例について説明したが、本発明は、係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【０１１１】
１  電子白板装置
２  ディスプレイ装置
３  タッチペン
４  ２次元入力部
５  パーソナルコンピュータ（ＰＣ）
２１  表示部
２２  メモリ
２３、５４  画像メモリ
２４、５１、６１  受信入力部
２５、４８  制御部
２６、３６、６３  電源部
３１  ペン先
３２  接触検出スイッチ
３３  操作スイッチ
３４、４９、５５  送信出力部
３５、６２  電源スイッチ
４１  横方向赤外線発光素子アレイ
４２  横方向赤外線受光素子アレイ
４３  縦方向赤外線発光素子アレイ
４４  縦方向赤外線受光素子アレイ
４５  発光制御回路
４６  受光制御回路
４７  座標生成部
５２  記憶デバイス
５３  ＲＡＭ
５６  ＣＰＵ（制御部）
５９  操作部（消去範囲サイズ設定部）
ＳＣ  画面
【図１】
2012248167.tif 000003
【図２】
2012248167.tif 000004
【図３】
2012248167.tif 000005
【図４】
2012248167.tif 000006
【図５】
2012248167.tif 000007
【図６】
2012248167.tif 000008
【図７】
2012248167.tif 000009
【図８】
2012248167.tif 000010
【図９】
2012248167.tif 000011
【図１０】
2012248167.tif 000012
【図１１】
2012248167.tif 000013
【図１２】
2012248167.tif 000014